(57)【要約】【課題】居室空間に設置されるシャワールームユニットにおいて、居室床面からの高さを抑え、容易な出入りを可能とする。【解決手段】本発明に係るシャワールームユニットは、内部にシャワー設備が設置されたシャワー空間を有し、居室内に設置可能なシャワールームユニットであって、底面と、壁面を有して構成された防水パンと、居室の床面と防水パンの間に配置された制振材と、吸引口から吸引した汚水を排出口に圧送可能とする圧送式ポンプと、を備え、防水パンの壁面には、防水パンに貯まった水を排水する排水孔が設けられていることを特徴とする。【選択図】図５
2019088393.tif 000002
【特許請求の範囲】
【請求項１】
内部にシャワー設備が設置されたシャワー空間を有し、居室内に設置可能なシャワールームユニットであって、
防水パンと、圧送式ポンプと、を備え、
防水パンは、底面と、壁面を有して構成され、直接、あるいは、制振材を介して居室床面に設置され、
壁面には、防水パンに貯まった水を排水する排水孔が設けられ、
圧送式ポンプは、吸引口から吸引した汚水を排出口に圧送可能とし、
排出口は、排出経路を介して居室内の汚水管に接続されていることを特徴とする
シャワールームユニット。
【請求項２】
防水パンの排水孔は、圧送式ポンプの吸引口と略同じ高さに位置していることを特徴とする
請求項１に記載のシャワールームユニット。
【請求項３】
圧送式ポンプは、洋式便器が接続される第２の吸引口を有し、
第２の吸引口は、設置された洋式便器の排出孔と略同じ高さに位置していることを特徴とする
請求項１または請求項２に記載のシャワールームユニット。
【請求項４】
シャワー空間に出入りするために設けられた扉と、段差抑制手段を有し、
防水パンは、壁面の一部が周囲に張り出した接続部を有し、
段差抑制手段は、シャワー空間の外部であって、扉の下方に位置し、接続部によってその一部が押さえられていることを特徴とする
請求項１から請求項３の何れか１項に記載のシャワールームユニット。
【請求項５】
接続部は、扉を係止する扉枠が収まる収容空間を形成することを特徴とする
請求項４に記載のシャワールームユニット。
【請求項６】
段差抑制手段は、シャワー空間内の床面と、居室床面を接続するスロープを形成することを特徴とする
請求項４または請求項５に記載のシャワールームユニット。
【請求項７】
接続部の下方には、パイプスペースが設けられていることを特徴とする
請求項４から請求項６の何れか１項に記載のシャワールームユニット。
【請求項８】
シャワー空間を形成する内壁材を備え、
内壁材は、居室床面と居室天井の間に張られたスタッドに固定され、その下端は、防水パンの壁面の内側に配置されていることを特徴とする
請求項１から請求項７の何れか１項に記載のシャワールームユニット。
【請求項９】
防水パン内部には、水に浮く性質を有するスノコが設置され、
防水パンの壁面の高さは、貯水した水がオーバーフローする前にスノコが浮く程度の高さを有することを特徴とする
請求項１から請求項８の何れか１項に記載のシャワールームユニット。
【請求項１０】
防水パンの壁面は、周囲方向に突出した非常用ポンプ収納空間を形成していることを特徴とする
請求項１から請求項９の何れか１項に記載のシャワールームユニット。
【発明の詳細な説明】
【技術分野】
【０００１】
本発明は、内部にシャワー空間が形成されるシャワールームユニットに関する。特に、居室内に事後的に設置可能なシャワールームユニットに関する。
【背景技術】
【０００２】
現在、高齢化社会が進むにあたって、集合住宅型の住居施設、いわゆる老人ホームの数は増加傾向にあり、高齢者にとって使い易い住居施設が求められている。このような住居施設では、利用者は、与えられた個室を主な居室として使用することになる。各個室にはトイレが設けられているが、入浴は住居施設に設けられている共同浴場を使用することが一般的である。
【先行技術文献】
【特許文献】
【０００３】
【特許文献１】実開平５−１３５９４号公報
【発明の概要】
【発明が解決しようとする課題】
【０００４】
このような老人ホーム、あるいは、介護施設等、集合住宅型の住居施設に居住する利用者は、入浴の際、共同浴場まで行かなければならないことが通常であり、居住する個室では入浴することはできなかった。体の自由度が低下した老人、要介護者等にとって共同浴場まで行くことは、介助を要するなど困難な行為であるとともに、施設によって入浴時間も決められていることが多い。一方、入浴、あるいは、シャワーを浴びる行為は、老人や要介護者にとっては重要なリフレッシュ行為である。そのため、出願人は、居住する個室内において気軽にシャワーを浴びることのできるシャワールームユニットの設置を提案している。
【０００５】
出願人が提案する居室内に設置されるシャワールームユニットは、施設建築時に設けられるものではなく、建設された施設に事後的に設置されることを前提としている。ここで特許文献１には、下水道等の排水施設に排水可能な簡易シャワーハウスが開示されている。この簡易シャワーハウスでは、床面にシャワーハウス排水口が設けられており、簡易シャワーハウスを設置するには、簡易浄水器等の収容スペースが必要となり、接地面から簡易シャワーハウス内の床面までは十分な高さが必要となる。
【０００６】
高齢者や要介護者を利用対象とする場合、シャワールームユニットへの出入りの容易さは非常に重要な問題である。出入りが困難な場合、利用者の利用意欲、利用頻度は低下することになり、高齢者や要介護者にとって快適な生活の支障となることが考えられる。本発明は、本発明は、居室内に事後的にシャワールームユニットにおいて、居室床面からの高さを抑え、容易な出入りを可能とすることを目的としている。
【課題を解決するための手段】
【０００７】
本発明に係るシャワールームユニットは、
内部にシャワー設備が設置されたシャワー空間を有し、居室内に設置可能なシャワールームユニットであって、
防水パンと、圧送式ポンプと、を備え、
防水パンは、底面と、壁面を有して構成され、直接、あるいは、制振材を介して居室床面に設置され、
壁面には、防水パンに貯まった水を排水する排水孔が設けられ、
圧送式ポンプは、吸引口から吸引した汚水を排出口に圧送可能とし、
排出口は、排出経路を介して居室内の汚水管に接続されていることを特徴とする。
【０００８】
さらに本発明に係るシャワールームユニットにおいて、
防水パンの排水孔は、圧送式ポンプの吸引口と略同じ高さに位置していることを特徴とする。
【０００９】
さらに本発明に係るシャワールームユニットにおいて、
圧送式ポンプは、洋式便器が接続される第２の吸引口を有し、
第２の吸引口は、設置された洋式便器の排出孔と略同じ高さに位置していることを特徴とする。
【００１０】
さらに本発明に係るシャワールームユニットは、
シャワー空間に出入りするために設けられた扉と、段差抑制手段を有し、
防水パンは、壁面の一部が周囲に張り出した接続部を有し、
段差抑制手段は、シャワー空間の外部であって、扉の下方に位置し、接続部によってその一部が押さえられていることを特徴とする。
【００１１】
さらに本発明に係るシャワールームユニットにおいて、
接続部は、扉を係止する扉枠が収まる収容空間を形成することを特徴とする。
【００１２】
さらに本発明に係るシャワールームユニットにおいて、
段差抑制手段は、シャワー空間内の床面と、居室床面を接続するスロープを形成することを特徴とする。
【００１３】
さらに本発明に係るシャワールームユニットにおいて、
接続部の下方には、パイプスペースが設けられていることを特徴とする。
【００１４】
さらに本発明に係るシャワールームユニットは、
シャワー空間を形成する内壁を備え、
内壁は、居室床面と居室天井の間に張られたスタッドに固定され、その下端は、防水パンの壁面の内側に配置されていることを特徴とする。
【００１５】
さらに本発明に係るシャワールームユニットにおいて、
防水パン内部には、水に浮く性質を有するスノコが設置され、
防水パンの壁面の高さは、貯水した水がオーバーフローする前にスノコが浮く程度の高さを有することを特徴とする。
【００１６】
さらに本発明に係るシャワールームユニットにおいて、
防水パンの壁面は、周囲方向に突出した非常用ポンプ収納空間を形成していることを特徴とする。
【００１７】
さらに本発明に係るシャワールームユニットにおいて、
防水パンの底面は、排水孔に向かって傾斜していることを特徴とする。
【００１８】
さらに本発明に係るシャワールームユニットにおいて、
防水パンの底面であって、排水孔の近傍には、発熱により貯水した水を乾燥させるドライプレートが設けられていることを特徴とする。
【００１９】
さらに本発明に係るシャワールームユニットにおいて、
防水パンは、高さの異なる複数の制振材を使用して適切な位置に配置されていることを特徴とする。
【発明の効果】
【００２０】
本発明に係るシャワールームユニットによれば、特に、防水パンの壁面に排水孔を設けたことで、居室床面からシャワー空間の床面までの高低差の抑制を図り、シャワールームユニットへの出入りを容易に行うことが可能となる。
【００２１】
さらに本発明に係るシャワールームユニットによれば、防水パンの排水孔を、圧送式ポンプの吸引口と略同じ高さとしたことで、高低差の抑制、並びに、効率的なシャワー水の回収を行うことが可能となる。
【００２２】
さらに本発明に係るシャワールームユニットによれば、洋式便器が接続される第２の吸引口を、設置された洋式便器の排出孔と略同じ高さとしたことで、効率的な汚水の回収、並びに、洋式便器を居室床面に設置することが可能となる。
【００２３】
さらに本発明に係るシャワールームユニットによれば、段差抑制手段を設けたことで、居室空間とシャワー空間における床面間の段差を抑制し、シャワールームユニットへの出入りをさらに容易に行うことが可能となる。
【００２４】
さらに本発明に係るシャワールームユニットによれば、段差抑制手段がスロープを形成することで、車椅子利用者であってもシャワールームユニットへの出入りが容易となる。
【００２５】
さらに本発明に係るシャワールームユニットによれば、防水パンが形成する接続部の下方にパイプスペースを設けたことで、省スペース、並びに、短い経路で配管を行うことが可能となる。
【００２６】
さらに本発明に係るシャワールームユニットによれば、シャワー空間を形成する内壁の下端が防水パンの壁面の内側に配置されることで、内壁２２ａの内側、あるいは、外側に付着した水滴を防水パンに導入することが可能となる。
【００２７】
さらに本発明に係るシャワールームユニットによれば、防水パンの壁面の高さを、貯水した水がオーバーフローする前にスノコが浮く程度の高さとしたことで、
圧送式ポンプが機能しない、あるいは、配管の詰まりによって防水パン内の水が溢れる前に、利用者は、スノコの異常を検知することで、水が溢れる恐れを事前に察知ことが可能となる。
【００２８】
さらに本発明に係るシャワールームユニットによれば、防水パンの壁面に、周囲に突出した非常用ポンプ収容空間を形成することで、非常用ポンプを目に付くことなく収容し、万が一の非常時においても、防水パンに貯まったシャワー水を排水することが可能となる。
【００２９】
さらに本発明に係るシャワールームユニットによれば、防水パンの底面を排水孔に向かって傾斜させたことで、防水パンに流れ込むシャワー水を効果的に排水孔で回収することが可能となる。
【００３０】
さらに本発明に係るシャワールームユニットによれば、防水パンの底面であって、排水孔の近傍にドライプレートを設けたことで、残ったシャワー水を短時間で乾燥させ、カビや雑菌の繁殖を抑えることが可能となる。
【００３１】
さらに本発明に係るシャワールームユニットによれば、高さの異なる複数の制振材を使用して防水パンを配置することで、金属板で構成された防水パンであっても、防水パンの底面を適切に位置させ、防水パンに流れ込むシャワー水を排水孔で適切に回収することが可能となる。
【図面の簡単な説明】
【００３２】
【図１】シャワールームユニット設置前の居室空間を示す上面図
【図２】シャワールームユニット設置後の居室空間を示す上面図
【図３】シャワールームユニット設置後の居室空間の様子を示す斜視図
【図４】外壁を取り外した状態のシャワールームユニットの外観を示す斜視図
【図５】シャワールームユニットの配管を説明するための斜視図
【図６】防水パンを示す斜視図
【図７】シャワールーム形成の様子を示す図（第１工程）
【図８】シャワールーム形成の様子を示す図（第２工程）
【図９】シャワールーム形成の様子を示す図（第３工程）
【図１０】シャワールーム形成の様子を示す図（第４工程）
【図１１】シャワールーム形成の様子を示す図（第５工程）
【図１２】シャワールーム形成の様子を示す図（第６工程）
【図１３】防水パンとスロープ形成部の接続の様子を示す断面図
【図１４】防水パン及び追加洋式便器の排水を説明するための図
【図１５】他の実施形態の防水パンを示す斜視図
【図１６】他の実施形態の防水パンを使用した際の非常用ポンプを説明するための図
【図１７】他の実施形態のシャワールームユニットの配管を説明するための斜視図
【発明を実施するための形態】
【００３３】
図１は、シャワールームユニット設置前の居室空間Ａを示す上面図である。本実施形態のシャワールームユニットの設置対象となる居室空間Ａは、アパート、マンションあるいは高齢者用集合住宅等、シャワー設備あるいは入浴設備を有していない居室空間Ａである。本実施形態のシャワールームユニットは、このような既存の居室空間Ａに事後的に設置されるものである。図１に示す居室空間Ａには、既存洋式便器１１、洗面台流し１２が予め設置されている。既存洋式便器１１は、既存外壁１０で区切られた空間内に配置されており、既存扉１０ａを使用して同空間に出入りすることが可能となっている。既存洋式便器１１の背後に位置する空間（パイプスペース）には、既存洋式便器１１の汚水を流すための汚水管１４と、洗面台流し１２等の雑排水を流すための雑俳管１３が配置されている。
【００３４】
本実施形態のシャワールームユニットは、高齢者、要介護者等が居室空間Ａにおいて快適にシャワーを浴びることのできるシャワー空間を提供することを目的としている。そのため、本実施形態のシャワールームユニットは、居室空間Ａの床面（居室床面）上に容易に設置可能であるとともに、居室空間Ａが賃貸物件であっても容易に撤去可能とし、原状回復を行うことができるものである。
【００３５】
図２は、本実施形態のシャワールームユニット２を設置した後の居室空間Ａを示す上面図である。図２に示されるようにシャワールームユニット２は、３面が内壁２２ａ、２２ｂ、２２ｃで囲われ、残る１面が出入り用の扉２４で囲われたシャワー空間Ｂを有している。シャワー空間Ｂの底面は防水パン２１で形成されている。防水パン２１の上には、図示しないスノコが設置されている。シャワー空間Ｂを形成する扉２４の外部には、スロープ形成部２６が設けられている。このスロープ形成部２６は、居室空間Ａとシャワー空間Ｂ内を緩やかなスロープ（斜面）で接続することが可能であり、利用者が車椅子でも容易にシャワー空間Ｂ内に出入りすることを可能としている。本実施形態のシャワー空間Ｂは、車椅子が入るに十分な空間となっており、利用者は、車椅子のままシャワーを浴びることが可能である。
【００３６】
シャワールームユニット２の背面には、シャワー供給設備４が設けられている。図３は、シャワールームユニット２を設置した後の居室空間の様子を示す斜視図であって、図２の上面図に記載する視線方向Ｘからシャワールームユニット２を眺めた図である。図３から分かるようにシャワー供給設備４は、外壁２３ｂ、並びにシャワールームユニット２で隠された状態となっている。シャワー供給設備４は、シャワー設備２５で使用するシャワー水（温水）を形成するための設備である。
【００３７】
シャワー供給設備４と洗面台流し１２の間には、洗濯機３３を配置するためのスペースが設けられている。本実施形態では、前扉式の洗濯機３３が設置されている。洗濯機３３の前面にはスロープ形成部２６が位置している。このような配置状況では、洗濯機３３を使用する場合、スロープ形成部２６の上に立つ必要があり、高齢者、要介護者等の場合、スロープ（斜面）により洗濯機３３の操作、洗濯物の出し入れが困難となることが考えられる。そのため、本実施形態のスロープ形成部２６は、スロープ（斜面）を形成する形態（スロープ形態）と、居室空間Ａの床面と平行な形態（ステップ形態）に切り替えることが可能となっている。なお、図３は、ステップ形態の状態となっている。例えば、車椅子を使用してシャワーを浴びる際には、スロープ形成部２６をスロープ形態で使用し、車椅子を使用していない利用者の場合、あるいは、洗濯機３３を使用する場合には、ステップ形態で使用することで、狭小の居室空間Ａであっても、スペースを有効に使用して、適切な形態で使用することが可能となっている。
【００３８】
なお、このスロープ形成部２６は、居室空間Ａとシャワー空間Ｂにおける床面間の段差を抑制し、シャワールームユニット２への出入りを容易にする段差抑制手段として機能する。段差抑制手段としては、このようにステップ形態とスロープ形態を切り替えることができるタイプの他、切り替え機能を有さず、ステップ形態のみで使用する形態、あるいは、スロープ形態のみで使用するタイプを採用することとしてもよい。
【００３９】
図２、図３に示されるように、本実施形態のシャワールームユニット２は、それに隣接して追加洋式便器３が設置されていることを特徴としている。この追加洋式便器３１は、例えば、これに隣接した位置（例えば、ベッド設置位置３５）にベッドを設置することで、ベッドから直ぐに追加洋式便器３１への移動、及び、シャワールームユニット２への移動が容易に行える配置となっている。また、本実施形態では、追加洋式便器３１に隣接して手洗い流し３４が設けられている。本実施形態の追加洋式便器３１は、既存洋式便器１１と異なり、後付けの洋式便器であって、汚水管１４に隣接して位置するものではない。そのため、本実施形態では、汚水発生時、すなわち、用を足した後、後述する圧送式ポンプ５１を使用して、汚水管１４に強制的に汚水を排出することとしている。
【００４０】
なお、この圧送式ポンプ５１は、シャワールームユニットの内壁２２ａと、外壁２３ａの間に形成された空間に配置されており、外部からは見えない状態となっている。また、本実施形態の圧送式ポンプ５１は、シャワー水の排水も兼ねた形態となっている。シャワー時に防水パン２１に貯まったシャワー水は、圧送式ポンプ５１により、追加洋式便器３１の汚水と同様に、圧送式ポンプ５１内で粉砕された後、汚水管１４に強制排水されることになる。
【００４１】
図４は、外壁２３ａ、２３ｂ等を取り外した状態のシャワールームユニット２の外観を示す斜視図である。先に説明したように追加洋式便器３の背後には、圧送式ポンプ５１が配置されている。圧送式ポンプ５１は、２つの吸引口（第１吸引口、第２吸引口）と、１つの排出口を有している。第１吸引口は、追加洋式便器３に接続され、第２吸引口は、防水パン２１に接続されている。また、排出口は、排出管５１１を介して汚水管１４に接続されている。
【００４２】
図５は、シャワールームユニット２の配管を説明するための斜視図である。図５は、図４の斜視図においてシャワールームユニット２の内壁２２ａ、２２ｂ、２２ｃ、扉２４を洗濯機３３、洗面台流し１２等の各種構成を仮想的に撤去して、配管の様子を分かり易く図示した状態である。本実施形態のシャワー供給設備４は、給水ポンプ４３、貯水タンク４２、温水器４１を主な構成要件として有している。本実施形態のシャワールームユニット２は、車椅子に乗ったままでも、満遍なくシャワーを浴びることができるように、多数のシャワーヘッド（第１〜第６シャワーヘッド４７ａ〜４７ｅ、４６）を有する構成となっている。
【００４３】
このように多数のシャワーヘッドを有し、多量のシャワー水が必要となる構成では、シャワー水の水圧が低下することが予想されるが、本実施形態のシャワー供給設備４は、貯水タンク４２に一旦、水道水を貯水した後、給水ポンプ４３を使用して、シャワー設備２５の混合器４５に給水することで十分な水圧を確保している。特に、水道水の給水口、すなわち、給水ポンプ４３の第１排出口４３ｂを混合器４５よりも高い位置とすることで、シャワー時における十分な水圧を確保している。
【００４４】
次に、シャワー設備２５に対する給水について説明する。温水器４１は、供給管４２１を介して供給される水道水を加熱して温水を形成し、温水器４１内部の貯水タンクに蓄える。本実施形態の温水器４１は、３５℃〜８５℃の温水を形成することが可能である。温水器４１は、蓄えている温水を、温水管４５０を介して混合器４５に供給する。
【００４５】
温水器４１の上には、架台４４を介して貯水タンク４２が配置されている。給水ポンプ４３は、貯水タンク４２内の水位が低下すると、供給口４３ａを閉状態から開状態に変更し、貯水タンク４２内が一定の水位となるまで供給管４２１から水道水を補給する。本実施形態のシャワールームユニット２は、貯水タンク４２を含む全ての構成が、プライベートな空間である居室空間Ａ内に配置されるため、施設内の共用空間を占有することなく、シャワールームユニット２の導入を容易にしている。
【００４６】
また、本実施形態の貯水タンク４２は、空調が効いている居室空間Ａ内に設置されているため、貯水タンク４２に貯水する水道水は、空調で暖められることになる。そのため、特に冬期においては、所定温度のシャワー水を形成する際に必要とされる温水の量は、直接、水道水を混合器４５に導入する場合と比較して、抑えられる。したがって、温水器４１から供給する温水の量は削減され、消費電力も抑えられる。温水器４１には、深夜電力を使用して温水を沸かし、内部タンクに温水を貯水しておくタイプが一般的である。このようなタイプでは、使用できる温水に限りがあるが、本実施形態のように、居室空間Ａ内に設置された貯水タンク４２に一旦貯水することで、シャワー水に使用する温水量の削減を図り、一度に使用できるシャワー水の量を増加させることも可能となる。貯水タンク４２を屋外に設置した場合、冬期には凍結して使用できなくなる恐れがあるが、居室内に設置することで凍結することもなく、年中、快適に使用することが可能となる。
【００４７】
シャワー設備２５でシャワーが利用される際には、給水ポンプ４３を駆動することで、第１水管４３１を介して混合器４５に対し、貯水タンク４２内に貯水する水道水を十分な水圧で供給する。なお、給水ポンプ４３は、追加洋式便器３、並びに、手洗い流し３４に対しても第２排出口４３ｃ、第２水管４３２、第１水支管４３２ａ、第２水支管４３２ｂを介して、貯水タンク４２に貯水する水道水を供給することが可能となっている。
【００４８】
混合器４５は、温水器４１から供給される温水と、給水ポンプ４３を使用して供給される貯水タンク４２内の水道水を、設定された混合率で混合し、シャワー水として第１〜第６シャワーヘッド４７ａ〜４７ｅ、４６に供給することが可能となっている。第１シャワーヘッド４７ａ及び第２シャワーヘッド４７ｂは、それぞれ第１シャワー管４４１、第２シャワー管４４２を介して混合器４５と接続され、混合器４５に向かって位置する利用者に対し前方からシャワー水を噴射する。第３シャワーヘッド４７ｃは、第３シャワー管４４３を介して混合器４５と接続され、混合器４５に向かって位置する利用者に対し後方からシャワー水を噴射する。
【００４９】
第４シャワーヘッド４７ｄ、第５シャワーヘッド４７ｅは、それぞれ第４シャワー管４４４、第５シャワー管４４５を介して混合器４５と接続され、シャワー空間Ｂの上方に位置し、利用者の上方からシャワー水を噴射する。なお、第４シャワーヘッド４７ｄ、第５シャワーヘッド４７ｅは、共に上方からシャワー水を噴射する点で共通しているが、第４シャワーヘッド４７ｄは、シャワー水を拡散させずに噴射するのに対し、第５シャワーヘッド４７ｅは、シャワー水を拡散させて噴射する点において相違している。第６シャワーヘッド４６は、シャワーホース４４６を介して接続され、利用者が第６シャワーヘッド４６を手持ちした状態でシャワー水を噴射させることが可能となっている。
【００５０】
このように本実施形態のシャワー設備２５は、利用者の前方、後方、上方等、あらゆる方向からシャワー水を噴射することが可能であり、健常者のみならず、車椅子に乗ったままの利用者であっても、自身の向きを変更することなく、快適にシャワーを浴びることが可能である。
【００５１】
次に、シャワー水の排水、並びに、追加洋式便器３１の排水について説明する。本実施形態のシャワールームユニット２は、既に建築済みの居室空間Ａ内に事後的に設置し、撤去することが可能な設備である。また、水を取り扱うため、居室空間Ａの床面に水が漏れることは好ましいとはいえない。また、車椅子で使用可能とするためには、居室空間Ａの床面とシャワー空間Ｂの床面との高低差ができる限り低い方が好ましい。高低差を低くすることで、短いスロープでも十分に緩い傾斜角度で居室空間Ａの床面とシャワー空間Ｂの床面を接続することが可能となる。本実施形態のシャワールームユニットは、水漏れの抑制、並びに、シャワー空間Ｂの床面をできる限り低くするため、防水パン２１を基礎として使用することを特徴としている。
【００５２】
図６は、本実施形態のシャワールームユニット２で使用する防水パン２１を示す斜視図である。防水パン２１は、ステンレス、鉄等の金属板を加工して形成されている。なお、防水パン２１の素材は、金属板に限られるものでは無く、樹脂製等、各種材料を使用することが可能である。防水パン２１は、底面２１ａ、底面２１ａから立設し、側面を形成する４つの壁面２１ｂ〜２１ｅを有して構成されている。１の壁面２１ｅには、シャワー水を排水する排水孔を形成するためのドレン管２１ｆが設けられている。本実施形態では、ドレン管２１ｆは、防水パン２１に孔を穿設し、当該孔の径にあった金属管を溶接することで形成されている。防水パン２１を適切に設置した場合、すなわち、３つの壁面２１ｂ〜２１ｅが鉛直方向に向いて立設するように設置した場合、底面２１ａは、破線矢印で示す向きに従って低くなるように形成されている。このような底面２１ａの形状により、防水パン２１に流れ込むシャワー水は、ドレン管２１ｆに向かって流れ、ドレン管２１ｆから外部に排出される。
【００５３】
防水パン２１の１つの壁面２１ｃには、外周に向かって張り出したシャワー設備収容部２１ｈが設けられている。シャワー設備収容部２１ｈの上部には、図５で説明した混合器４５等のシャワー設備２５が配置される。このように防水パン２１にシャワー設備収容部２１ｈを設けることで、シャワー空間Ｂ内におけるシャワー設備２５の突出を抑制し、シャワー空間Ｂ内における移動の妨げを防ぐことを可能としている。特に、利用者が車椅子を使用する場合に好適である。
【００５４】
防水パン２１の１つの壁面２１ｄには、外周方向に張り出した接続部２１ｇが設けられている。この接続部２１ｇは、スロープ形成部２６と防水パン２１を強固に接続する機能と、扉２４の扉枠を収容しスロープ形成部２６とシャワー空間Ｂの床面とを滑らかに接続する機能を兼ね備えたものである。さらに本実施形態では、この接続部２１ｇの下方をパイプスペースとして使用することで、多機能化が図られている。接続部２１ｇは、長さＬ、幅Ｗ、高さＨの直方体形状の収容空間を有し、壁面２１ｄの上方から外周方向張り出した形状となっている。この接続部２１ｇが形成する収容空間には、扉２４を係止する扉枠が配置される。
【００５５】
では、この防水パン２１を基礎として形成されるシャワールームユニット２の設置工程について説明する。図７〜図１２はシャワールーム形成の様子を、順を追って示した工程図である。図７（第１工程）に示されるように、まず、居室空間Ａの居室床面Ｃには、シャワールームユニット２の設置場所に対応する位置にスロープ形成部２６が設置される。ここで、スロープ形成部２６が防水パン２１と向かい合う側には、防水パン載置部２６ａが形成されている。防水パン載置部２６ａは、段形状となっており、この段の上面を防水パン２１の接続部２１ｇで押さえることで、スロープ形成部２６を強固に固定することが可能となっている。また、防水パン２１の設置位置に対応して、複数の制振材２７が配置される。制振材２７はゴム等の弾性体で形成されている。なお、制振材２７を使用せず、直接居室床面Ｃに防水パン２１を設置することとしてもよい。図６で説明したように防水パン２１の底面２１ａは、ドレン管２１ｆに向かって傾斜する形状を有しており、防水パン２１を適切に設置するには、配置位置に応じた高さの制振材２７が配置されることになる。
【００５６】
次に、図８（第２工程）に示されるように、第１工程で設置した制振材２７の上に防水パン２１が配置される。防水パン２１の接続部２１ｇは、スロープ形成部２６の防水パン載置部２６ａの段上に位置し、スロープ形成部２６をしっかりと固定する。また、本実施形態では、接続部２１ｇの下方に、排出管５１１を通すためのパイプスペースが形成されており、省スペース、並びに、短い経路で配管を行うことを可能にしている。
【００５７】
図９（第３工程）は、図８の構成に排水用の配管を行った様子を示している。本実施形態では、防水パン２１で回収されたシャワー水と、追加洋式便器３１で回収された汚水を強制的に汚水管１４に導くため、圧送式ポンプ５１を使用している。圧送式ポンプ５１は、シャワー水、あるいは、汚水が流れ込んだことを検出し、内部のモーターを駆動することで、シャワー水、汚水を強制的に排出口５１ｃから排出する。本実施形態の圧送式ポンプ５１は、粉砕機能を備えており、固形物、あるいは、髪の毛等を粉砕して排出口５１ｃから排出するため、排出管５１１等の詰まりを抑制することが可能となっている。圧送式ポンプ５１には、第１吸引口５１ａ、第２吸引口５１ｂが設けられており、第１吸引口５１ａは、追加洋式便器３１に接続され、第２吸引口５１ｂは、ドレンパイプ５１０を介してドレン管２１ｆに接続されている。
【００５８】
圧送式ポンプ５１の排出口５１ｃには、排出管５１１が接続されている。排出管５１１は、接続部２１ｇの下に形成されたパイプスペースを通過し、汚水管１４に接続される。排出管５１１の途中には、第１分岐排出口５１１ａ、第２分岐排出管５１１ｂが分岐しており、洗面台流し１２、洗濯機３３で回収した雑排水を回収することが可能となっている。
【００５９】
図１０（第４工程）は、シャワー空間Ｂを形成する内壁２２ｂ、２２ｃ等、各種壁を設立するためのスタッド２８が設立された様子を示す図である。スタッド２８は、居室床面Ｃと居室天井との間で張られた支柱であり、スタッド２８の両端に配置されるランナー（図示せず）でしっかりと固定されている。内壁２２ａ〜２２ｃ等、シャワールームユニット２で必要となる各種壁は、このスタッド２８に対して固定される。
【００６０】
図１１（第５工程）は、第４工程で設立したスタッド２８に対して内壁２２ｂ、２２ｃを設置したときの様子である。なお、図１１では、シャワー設備２５も配置されている。図１２（第６工程）は、シャワー空間Ｂを形成する全ての内壁２２ａ〜２２ｃ、扉２４を配置したときの様子である。なお、図示はしていないが、シャワー空間Ｂには天井も併せて配置されることになる。図１２の状態から更に、外壁２３ａを設けるためのスタッドが設立され、当該スタッドに外壁２３ａが固定される。圧送式ポンプ５１は、内壁２２ａと外壁２３ａの間に形成された空間に位置することになる。
【００６１】
図１３は、シャワールームユニット２の完成時における防水パン２１とスロープ形成部２６の接続の様子を示す断面図である。図８で説明したように、スロープ形成部２６の防水パン載置部２６ａの段上には、防水パン２１の接続部２１ｇの下面が載置される。さらに、接続部２１ｇが形成する直方体形状の収容空間内には、扉２４を係止する扉枠２４ａが配置される。収容空間は、扉枠２４ａが収まるように形成されたものとなっている。特に、収容空間の高さＨは、スロープ形成部２６と略同じ高さとなっており、スロープ形成部２６と扉枠２４ａの段差を抑制している。また、防水パン２１上に設置されるスノコ２９の高さも扉枠２４ａと略同じ高さとしている。したがって、スロープ形成部２６からスノコ２９まで略段差を殆ど形成することなく、床面を接続し、高齢者、要介護者、車椅子利用者であってもシャワー空間Ｂ内への出入りを円滑に行うことが可能となっている。
【００６２】
また、扉２４、扉枠２４ａは、一体のユニットで構成された重量のあるユニットである。このユニットの重量が接続部２１ｇを介して、防水パン載置部２６ａにのしかけられるため、スロープ形成部２６をしっかりと固定することが可能となっている。スロープ形成部２６は、高齢者や車椅子に乗った利用者がシャワー空間Ｂに出入りする際、その上を歩行、走行するため、ぐらつきやずれが生じると、その出入りに支障を生ずる恐れがある。本実施形態では、スロープ形成部２６の一部である防水パン載置部２６ａを、防水パン２４の接続部２１ｇと扉枠２４ａでしっかりと固定することで、出入りに支障を生じないようにしている。また、接続部２１ｇの下方には、排出管５１１を通過させるためのパイプスペースが形成されており、省スペース、並びに、短い経路で配管を行うことを可能にしている。
【００６３】
ところで、本実施形態のシャワールームユニット２は、事後的に居室空間Ａ内に設置されるため、居室床面Ｃを濡らしてしまう事態はできる限り避けることが好ましい。例えば、圧送式ポンプ５１が機能しない、あるいは、配管の詰まりによって防水パン２１内のシャワー水が溢れる事態が考えられる。本実施形態では、防水パン２１内にスノコ２９が設置されているために、利用者が防水パン２１内の様子を観察することは困難である。したがって、気付いたときには防水パン２１内のシャワー水がオーバーフローして、居室床面Ｃを濡らしてしまうことが考えられる。そのため、本実施形態では、スノコ２９は水に浮く性質を有するものを使用するとともに、防水パン２１の壁面２１ｂ〜２１ｅの高さは、貯水したシャワー水が防水パン２１からオーバーフローする前にスノコ２９が浮く程度の高さを有することとしている。利用者は、スノコ２９の異常を検知することで、シャワー水が溢れる恐れを事前に察知することが可能となる。
【００６４】
図１４は、防水パン２１及び追加洋式便器３１の排水を説明するための図である。前述したように本実施形態のシャワールームユニット２は、防水パン２１のシャワー水の排水、及び、追加洋式便器３１で生じる汚水の排水を１の圧送式ポンプ５１を使用して汚水管１４に排出している。この圧送式ポンプ５１は、シャワー空間Ｂを形成する内壁２２ａと、外壁２３ａの間に配置されており、外側からは見えない状態となっている。ここで、防水パン２１からのシャワー水の排水周り、及び、追加洋式便器３１からの王水の排水周りについて説明を行う。
【００６５】
図１４に示されるように、防水パン２１は、居室床面Ｃの上に制振材２７を介して設置されている。１の壁面２１ｅには、シャワー水を排出する排出孔が設けられている。排出孔にはドレン管２１ｆが溶接部２１ｍを介して固定されている。ここで、排出孔の位置は、できる限り壁面２１ｅの下方に位置することが好ましい。本実施形態では、ドレン管２１ｆを溶接で固定するため、防水パン２１の底から若干のマージン（数ミリ程度）が必要となる。そのため、防水パン２１の底面２１ａには、若干のシャワー水溜りが生じる可能性がある。この程度のシャワー水溜りは、数時間で乾燥することとなるが、カビや雑菌の繁殖を抑えるため、排出孔の近傍には、発熱することでシャワー水を乾燥させるドライプレート５３を設置することとしてもよい。このドライプレート５３は、電気で発熱する装置であって、そのスイッチングは、シャワー設備２５の使用状態を監視することで行われる。シャワー設備２５の使用後（例えば、シャワー水の噴射を終了した後、所定時間経過後）に、このドライプレート５３を所定時間発熱させることで、排出孔周りのシャワー水溜りを乾燥させることが可能となる。このような形態以外に、ドライプレート５３のスイッチングは、ドライプレート５３周囲に設置したセンサーでシャワー水溜りを検知して行うこととしてもよい。
【００６６】
本実施形態においてシャワー空間Ｂを形成する内壁２２ａは、スタッド２８に直接、あるいは、緩衝材を介して間接的に固定され、その下部は、防水パン２１の内側に位置するように配置されている。したがって、内壁２２ａに付着した水滴は、確実に防水パン２１で回収されることになる。また、防水パン２１には、詳細には、各壁面２１ｂ〜２１ｅの上部に鍔部２１ｋが設けられている。鍔部２１ｋを設けることで、内壁２２ａの内側に生じた結露は鍔部２１ｋで回収される。そのため、内壁２２ａと壁面２１ｅの間には若干の隙間が設けられている。
【００６７】
本実施形態のシャワールームユニット２は、高齢者、あるいは車椅子による出入りを容易に行うことを目的としている。そのため、シャワー空間Ｂの床面と、居室床面Ｃと高低差はできる限り少ないことが好ましい。洗濯機や浴室等、一般家屋内の排水孔は、底面に設けられることが通常である。これは、建築時に排水孔を設けることが前提とされているためである。本実施形態のシャワールームユニット２は、建築後の居室空間Ａに事後的に設置されるものである。そのためシャワールームユニットは、居室床面Ｃ上に設置する必要があり、高低差を抑えることは困難であった。
【００６８】
そのため、本実施形態では、圧送式ポンプ５１を使用するとともに、防水パン２１の側面となる壁面２１ｅに設けられた排出孔からシャワー水を排水することとしている。その際、防水パン２１の排出孔と、圧送式ポンプ５１の第２吸引口５１ｂを略同じ高さとすることで高低差の抑制を図るとともに、シャワー水を効率的に回収することを可能としている。なお、圧送式ポンプ５１は、居室床面Ｃ上に設置された状態である。このような構成とすることで、事後的に設置されるシャワールームユニット２であっても、防水パン２１の高さ、すなわち、シャワー空間Ｂの床面（本実施形態では、スノコ２９で形成されている）と、居室床面Ｃの高低差が抑制され、高齢者であっても段差の少ないシャワー空間Ｂに容易に出入りすることが可能となる。あるいは、車椅子利用者であっても、短い距離であっても勾配の小さいスロープ（本実施形態では、スロープ形成部２６で形成可能となっている）でシャワー空間Ｂ内に利用者を導くことが可能となっている。
【００６９】
また、本実施形態のシャワールームユニット２は、１の圧送式ポンプ５１を使用してシャワー水の回収のみならず、追加洋式便器３１で発生する汚水の回収も可能となっている。図１４に示されるように追加洋式便器３１は、汚水を排出する排出孔３１ｂを備え、接続管３１ａを介して、圧送式ポンプ５１の第１吸引口５１ａに接続されている。接続管３１ａは、外壁２３ａに穿設された孔を貫通するように配置されている。追加洋式便器３１で汚水を流した場合、圧送式ポンプ５１は、第１吸引口５１ａから汚水を吸引し、粉砕した後、排出管５１１に汚水を送り出す。本実施形態では、第１吸引口５１ａは、追加洋式便器３１の排出孔３１ｂと略同じ高さとすることで、汚水ができるだけ接続管３１ａ等に残らない効率的な回収、並びに、居室床面Ｃ上に追加洋式便器３１を設置することを可能としている。このように本実施形態では、圧送式ポンプ５１を使用して、シャワールームユニット２で発生するシャワー水の回収、及び、追加洋式便器３１で発生する汚水の回収を行うこととしている。本実施形態のシャワールームユニット２は、シャワールームユニット２に近接して追加洋式便器３１を配置可能であるため、身の回りの衛生（シャワーや排泄）が重要視される高齢者、要介護者には好適である。
【００７０】
図１５は、他の実施形態の防水パン２１を示す斜視図である。前述したように、圧送式ポンプ５１が機能しない、あるいは、配管の詰まりによって防水パン２１内のシャワー水が溢れる事態は避けたい事態である。しかしながら、このような事態が生じた場合、防水パン２１に貯まったシャワー水を排出することが必要となる。図１５に示す防水パン２１は、このような事態に対応できるものであり、そのため、１の壁面２１ｅに周囲に突出した非常用ポンプ収容部２１ｉが形成されていることを特徴としている。この非常用ポンプ収容部２１ｉは、扉２４が配置される近傍（シャワー空間Ｂの外から手の届く範囲）に設けることが好ましい。利用者は、防水パン２１に貯まったシャワー水で操作を阻害されることなく、シャワー空間Ｂの外部から、非常用ポンプ収容部２１ｉ内に設置された非常用ポンプ５２を容易に操作すること可能となる。
【００７１】
図１６は、図１５で説明した防水パン２１を使用した際の非常用ポンプ５２の操作を説明するための図である。この図は、防水パン２１を上から眺めたときの上面図となっている。図１６（Ａ）は、通常時の上面図である。非常用ポンプ収容部２１ｉ内には、非常用ポンプ５２が配置されている。また、内壁２２ａと連接して、開閉可能内壁２２ｊが設けられている。非常用ポンプ５２は、電源に接続されている、あるいは、バッテリーで動作可能であって、スイッチを操作することで、防水パン２１に貯まったシャワー水を排水ホース５２ａから排出する。排水ホース５２ａは、排出管５１１に接続されていてもよいし、接続されておらず、利用者が洗面台流し１２に他端を持って行って排出するものであってもよい。
【００７２】
防水パン２１内にシャワー水が溢れそうになった非常時には、図１６（Ｂ）に示すように、利用者は、開閉可能内壁２２ｊを取り外す等、開状態に変更して、非常用ポンプ５２を操作可能な状態とする。そして、非常用ポンプ５２のスイッチを操作して、排水ホース５２ａから、排出管５１１あるいは洗面台流し１２等に、防水パン２１に貯まったシャワー水を排出する。このように本実施形態の防水パン２１は、非常時に使用可能な非常用ポンプ５２が適切な位置に配置可能となっており、溢れたシャワー水で居室床面Ｃを濡らしてしまう事態の抑制が図られている。
【００７３】
図１７は、他の実施形態のシャワールームユニット２の配管を説明するための斜視図である。この実施形態は、図１〜図５を使用して説明した実施形態と、シャワー供給設備４の点、及び、汚水の排出の点において相違している。以下に、図１７の実施形態について、それぞれの相違点について説明する。
【００７４】
図１〜図５の実施形態では、シャワー供給設備４は、温水器４１の上に、架台４４上に配置された貯水タンク４２を設け、更にその上に給水ポンプ４３を配置する構成としていた。図１７の実施形態では、前実施形態よりも大型の温水器４１を使用している。このような構成によれば、温水器４１内に十分な温水を貯留することが可能であり、前実施形態の温水器４１よりも低い温度の温水とすることが可能となる。図１７の実施形態のように温水器４１が大型である場合、温水器４１の上部スペースは狭小となってしまい、上部に貯水タンク４２を配置することは困難となる。そのため、本実施形態では、温水器４１の隣に、架台４４上に設置された貯水タンク４２を配置することとしている。
【００７５】
次に、汚水の排出の点について異なる点を説明する。図１〜図５の実施形態では、防水パン２１に貯まったシャワー水、及び、追加洋式便器３の汚水を１台の圧送式ポンプ５１で汚水管１４に排出していた。このような構成では１台の圧送式ポンプ５１で済むため、コスト削減を図ることが可能となる。一方、図１７の実施形態では、追加洋式便器３の汚水を排出するための第１圧送式ポンプ５１Ａ、防水パン２１に貯まったシャワー水を排出するための第２圧送式ポンプ５１Ｂを設けている。なお、この形態では、防水パン２１の排出孔は、第２圧送式ポンプ５１Ｂ側の壁面２１ｃに設けられている。第１圧送式ポンプ５１Ａが排出する汚水は第１排出管５１１ｃを介して汚水管１４へと導かれる。そして、第２圧送式ポンプ５１Ｂが排出するシャワー水は第２排出管５１１ｄを介して雑俳管１３へと導かれる。このような構成によれば、前述の実施形態と比較して、圧送式ポンプにかかる負担を減らすことで、第１圧送式ポンプ５１Ａ、第２圧送式ポンプ５１Ｂの長寿命化を図ることが可能となる。また、万が一、どちらかの圧送式ポンプが故障した場合であっても、もう１台の圧送式ポンプが機能するため、シャワー、追加洋式便器３の両方が使用できなくなることはない。
【符号の説明】
【００７６】
２：シャワールームユニット             ３４：流し
３：追加洋式便器                       ３５：ベッド設置位置
４：シャワー供給設備                   ４１：温水器
１０：既存外壁                         ４２：貯水タンク
１０ａ：既存扉                         ４３：給水ポンプ
１１：既存洋式便器                     ４３ａ：供給口
１２：洗面台流し                       ４３ｂ：第１排出口
１３：雑俳管                           ４３ｃ：第２排出口
１４：汚水管                           ４４：架台
２１：防水パン                         ４５：混合器
２１ａ：底面                           ４７ａ〜４７ｅ、４６：第１シャワーヘッド
２１ｂ〜２１ｅ：壁面                   ５１（５１Ａ、５１Ｂ）：圧送式ポンプ
２１ｆ：ドレン管                       ５１ａ：第１吸引口
２１ｇ：接続部                         ５１ｂ：第２吸引口
２１ｈ：シャワー設備収容部             ５１ｃ：排出口
２１ｉ：非常用ポンプ収容部             ５２：非常用ポンプ
２１ｋ：鍔部                           ５２ａ：排水ホース
２１ｍ：溶接部                         ５３：ドライプレート
２２ａ〜２２ｃ：内壁                   ４２１：供給管
２２ｊ：開閉可能内壁                   ４３１：第１水管
２３ａ、２３ｂ：外壁                   ４３２：第２水管
２４：扉                               ４３２ａ：第１水支管
２４ａ：扉枠                           ４３２ｂ：第２水支管
２５：シャワー設備                     ４４１〜４４５：シャワー管
２６：スロープ形成部                   ４４６：シャワーホース
２６ａ：防水パン載置部                 ４５０：温水管
２７：制振材                           ５１０：ドレンパイプ
２８：スタッド                         ５１１：排出管
２９：スノコ                           ５１１ａ：第１分岐排出口
３１：追加洋式便器                     ５１１ｂ：第２分岐排出管
３１ａ：接続管                         ５１１ｃ：第１排出管
３１ｂ：排出孔                         ５１１ｄ：第２排出管
３３：洗濯機
【図１】
2019088393.tif 000003
【図２】
2019088393.tif 000004
【図３】
2019088393.tif 000005
【図４】
2019088393.tif 000006
【図５】
2019088393.tif 000007
【図６】
2019088393.tif 000008
【図７】
2019088393.tif 000009
【図８】
2019088393.tif 000010
【図９】
2019088393.tif 000011
【図１０】
2019088393.tif 000012
【図１１】
2019088393.tif 000013
【図１２】
2019088393.tif 000014
【図１３】
2019088393.tif 000015
【図１４】
2019088393.tif 000016
【図１５】
2019088393.tif 000017
【図１６】
2019088393.tif 000018
【図１７】
2019088393.tif 000019